(57)【要約】    【課題】釣竿を保護すると共に、釣人が少量の水で釣竿の洗浄作業を容易に行うことができる釣竿用トップカバーの提供。    【解決手段】このトップカバー１０は、収納状態の振出式インナーガイドタイプの釣竿に装着される。トップカバー１０は、本体１４と栓部材１６とを有する。本体１４は、筒状部１３及びゴムバンド２５を備える。筒状部１３は、釣竿１１の先端部１２に嵌め込まれる。筒状部１３の内部にはパッキング２０が設けられており、釣竿１１の先端部１２は、筒状部１３によって液密的に囲繞される。栓部材１６が筒状部１３から取り外されることにより、筒状部１３内への注水が可能となる。栓部材１６は、筒状部１３の先端に設けられる。【選択図】図１
2005168393.tif 000002
【特許請求の範囲】
【請求項１】
収納状態の振出式釣竿に装着される釣竿用トップカバーであって、
釣竿の先端部に当該先端部を囲繞するように被せられる筒状部を有する本体と、
筒状部の内側と外側とを連通する連通孔に着脱自在に嵌め込まれた栓部材と、
本体に設けられ、当該本体と釣竿とを連結する連結部材とを備えた釣竿用トップカバー。
【請求項２】
上記筒状部の内側に、上記釣竿の先端部が挿通されるパッキングが設けられている請求項１に記載の釣竿用トップカバー。
【請求項３】
上記筒状部は有底円筒状に形成され、
上記連通孔は当該筒状部の底部に設けられており、
上記パッキングは、上記釣竿の先端部の外径寸法に対応する内径寸法の貫通孔を有する円盤状部材からなる請求項２に記載の釣竿用トップカバー。
【発明の詳細な説明】
【技術分野】
【０００１】
本発明は、釣竿の先端に装着されるトップカバーの構造に関する。
【背景技術】
【０００２】
図５は、従来の一般的な釣竿の正面図である。この釣竿１は、釣糸が釣竿１の内部に挿通されるインナーガイドタイプであって、いわゆる振出式に組み立てられている。すなわち、釣竿１は、細長パイプ状の複数の釣竿構成部材を備え、外径寸法の小さい釣竿構成部材が外径寸法の大きい釣竿構成部材の内部に収納されている。各釣竿構成部材は、「節」と称され、外形寸法の小さいものから順に第１番節、第２番節と称される。この釣竿１は５つの節を有しており、同図では、第４番節２及び第５番節３が図示されている。なお、外径寸法が最も大きな節（釣竿１では第５番節３）は、特に「元節」と称され、元節と隣り合う節（釣竿１では、第４番節２）は、特に「元上節」と称される。同図では図示されていないが、第３番節は第４番節２の内部に、第２番節は第３番節の内部に、さらに第１番節は第２番節の内部に収容されている。そして、実釣時においては、第１番節〜第３番節が隣り合う各節から引き出され、これにより釣竿１は、予め設計された長さ（定格長さ）に伸長される。
【０００３】
なお、この釣竿１はインナーガイドタイプであるから、第４番節２には釣糸が導入されるガイド部材４が設けられている。また、釣竿１は、第４番節２が釣人の所望時に第５番節３に対して伸縮される機構（いわゆるズーム機構）を備えており、これにより、実釣時において釣竿１の定格長さが変更され得るようになっている。もっとも、当該機構は、省略される場合もある。
【０００４】
また、一般に振出タイプの釣竿では、元節ないし元上節にトップカバーが取り付けられる。同図が示す釣竿１では、元上節２にトップカバー５が装着される。トップカバー５が取り付けられるのは、振出タイプの釣竿１では、各節が隣り合う節に収納された状態で持ち運びされるが、そのときに各節が不用意に引き出されて損傷を受けないように保護するためである（例えば、特許文献１〜特許文献４参照）。通常、インナーガイドタイプの釣竿１に取り付けられるトップカバー５は、円筒状に形成されており、取付用ゴムバンド６を備えている。そして、トップカバー５は、上記元上節２の先端部に嵌め込まれ、取付用ゴムバンド６が元上節２に巻回されることによって当該元上節２に固定される。
【０００５】
【特許文献１】特開２００３−１２５６７７号
【特許文献２】特開２００２−４５０９１号
【特許文献３】特開２００１−１４８９６９号
【特許文献４】特開２００１−１２８５９３号
【発明の開示】
【発明が解決しようとする課題】
【０００６】
ところで、インナーガイドタイプの釣竿１では、釣糸が釣竿１の内部を挿通することから、使用後においては各節の内部が洗浄されるのが好ましい。釣竿１の元節３には、尻栓７が着脱自在に設けられており、これが取り外されることによって各節は元節３の後端から引き抜かれる。これにより、各節は分離され、水洗い等がなされる。また、尻栓７には通気孔が設けられてい場合があるが、そのような場合には、尻栓７が取り外されることなく、釣竿１の先端部８から水が流し込まれることによって各節が洗浄されることもある。
【０００７】
いずれにせよ、釣竿１の洗浄作業の際には、一旦トップカバー５が取り外される必要があり、釣人としては、洗浄作業の後に再びトップカバー５を取り付ける必要もあることから釣竿の洗浄作業が煩わしく、より簡単に行いたいという要請がある。また、特に、尻栓７が取り外されることなく釣竿１の内部に水が流し込まれる場合には、大部分の水が釣竿１の外に流れてしまい、良好な洗浄が行われるために大量の水が必要になるという問題もあった。
【０００８】
そこで、本発明の目的は、釣竿を保護すると共に、釣人が少量の水で釣竿の洗浄作業を容易に行うことができる釣竿用トップカバーを提供することである。
【課題を解決するための手段】
【０００９】
(1) 上記目的が達成されるため、本発明に係る釣竿用トップカバーは、収納状態の振出式釣竿に装着される釣竿用トップカバーであって、釣竿の先端部に当該先端部を囲繞するように被せられる筒状部を有する本体と、筒状部の内側と外側とを連通する連通孔に着脱自在に嵌め込まれた栓部材と、本体に設けられ、当該本体と釣竿とを連結する連結部材とを備えたことを特徴とするものである。
【００１０】
この構成によれば、釣竿を構成する各節が隣り合う節の内部に収納された状態で、釣竿用トップカバーが当該釣竿の先端部に装着される。具体的には、本体の筒状部が釣竿の先端部に被せられ、その状態で、連結部材により当該本体が釣竿の先端部に連結される。連結部材は、例えばゴムバンド等が採用され得る。上記筒状部には連通孔が設けられているから、栓部材が取り外されることによって、連通孔からの注水が可能となる。連通孔から注水されると、釣竿の先端部が上記筒状部によって囲繞されていることから、水は効率的に釣竿の内部に流入し、釣竿の内部が洗浄される。
【００１１】
(2) 上記筒状部の内側に、上記釣竿の先端部が挿通されるパッキングが設けられていてもよい。この構成では、釣竿の先端部に筒状部が被せられると、当該先端部がパッキングを貫通するので、当該先端部は、筒状部によって略液密的に囲繞される。したがって、連通孔から注水されると、水はより効率的に釣竿の内部に流入する。
【００１２】
(3) 上記筒状部は有底円筒状に形成され、上記連通孔は当該筒状部の底部に設けられており、上記パッキングは、上記釣竿の先端部の外径寸法に対応する内径寸法の貫通孔を有する円盤状部材から構成され得る。この構成では、パッキングが円盤状を呈しているから、筒状部が釣竿の先端部に被せられると、そのまま当該先端部がパッキングの貫通孔を貫通する。したがって、筒状部にパッキングが設けられていても、釣竿用トップカバーの装着は簡単に行われる。また、筒状部が釣竿の先端部に被せられると、筒状部の底部が釣竿の先端面と対向する。そして、この底部に連通孔が設けられているから、当該連通孔から注水されると、水はより一層確実に釣竿の内部に流入する。
【発明の効果】
【００１３】
以上のように本発明によれば、釣竿の先端部に釣竿用トップカバーが取り付けられたままで当該釣竿用トップカバーの内部への注入が可能であるから、釣人は、釣竿用トップカバーを取り外すことなく釣竿の内部を洗浄することができる。しかも、水は、一旦釣竿用トップカバーの内部に注がれるから、効率よく釣竿の内部に流入し、その結果、少量の水で確実に釣竿の洗浄が行われる。
【発明を実施するための最良の形態】
【００１４】
以下、適宜図面が参照されつつ、好ましい実施形態に基づいて本発明が詳細に説明される。
【００１５】
図１は、本発明の一実施形態に係る釣竿用トップカバー（以下、単に「トップカバー」と称される。）の斜視図であって、このトップカバー１０は、釣竿１１の先端部１２に装着されるようになっている。本実施形態では、釣竿１１は、振出式に組み立てられており、いわゆるインナーガイドタイプである。また、同図では詳細に図示されていないが、釣竿１１を構成する節は、隣り合う節の内部に収納されており、トップカバー１０は、元上節の先端部１２に装着される。もっとも、釣竿の使用によっては、トップカバー１０が元節に装着される場合もある。
【００１６】
本実施形態の特徴とするところは、トップカバー１０の構造にあり、トップカバー１０が上記先端部１２に装着されることによって、後述される筒状部１３により当該先端部１２が囲繞され、これにより、収納状態の各節が不用意に突び出してしまうのを防止することができると共に、釣人が釣竿１０の内部を簡単かつ確実に洗浄することができるようになっている。以下、詳述される。
【００１７】
トップカバー１０は、上記筒状部１３を有する本体１４と、連結部１５と、筒状部１３に設けられた栓部材１６とを備えている。
【００１８】
本体１４は、筒状部１３と固定部１７とを有する。筒状部１３は、底部１８を有する円筒状に形成されている。筒状部１３の内径寸法は、釣竿１１の先端部１２の外径寸法よりも大きく設定されており、本実施形態では１８ｍｍ〜２８ｍｍ程度に設定される。筒状部１３の内径寸法がかかる寸法に設定されることにより、トップカバー１０は、ほぼすべての仕様の釣竿に対応することができる。この筒状部１３の底部１８には、筒状部１３の内側と外側とを連通する連通孔１９が設けられている。上記栓部材１６は、この連通孔１９に嵌め込まれるようになっている。
【００１９】
また、筒状部１３の内部には、円環状のパッキング２０が内装されている。このパッキング２０は、例えば熱可塑性エラストマー、シリコーン樹脂等の軟質プラスチック等により構成されており、例えば接着剤等により固定されている。パッキング２０には貫通孔２１が設けられており、この貫通孔２１の内径寸法は、釣竿１１の先端部１２の外径寸法に対応されている。したがって、釣竿１１の先端部１２は、パッキング２０の内部に隙間なく嵌め込まれるようになっている。ただし、このパッキング２０は、省略されていてもよい。
【００２０】
固定部１７は、円弧状に形成された当接板２２と座部材２３とを備えている。本実施形態では、上記筒状部１３と当接板２２とは、樹脂（例えばポリカーボネート等）により一体的に形成されている。したがって、円弧状に形成された当接板２２の曲率半径と筒状部１３の曲率半径とは同一である。もっとも、筒状部１３及び当接板２２がそれぞれ別部材として構成され、両者が既知の固着手段（接着剤等）により固着されていてもよい。また、座部材２３は、樹脂又はゴムからなる矩形の板状部材であって、同図が示すように当接板２２の内側に沿って張り付けられている。これにより、トップカバー１０が釣竿１１に装着されたときには、上記先端部１２が座部材２３上に載置される。ただし、この座部材２３は、省略されていてもよい。
【００２１】
図２は、トップカバー１０の要部拡大斜視図であって、連結部１５の構造が詳細に図示されている。同図が示すように、連結部１５は、台座部２４と、これに固定されたゴムバンド２５とを有している。台座部２４は、当接板２２の背面部２６に設けられている。この台座部２４は、当接板２２と一体的に形成されている。もっとも、台座部２４が別部材として構成され、これが当接板２２に取り付けられていてもよい。
【００２２】
台座部２４は略矩形のブロック状に形成されており、ゴムバンド２５を保持するための保持部２７が形成されている。この保持部２７は、台座部２４の内部に区画形成され、その側面２８に開口２９を有する収容空間として構成されている。ゴムバンド２５は、その基端部が上記開口２９から保持部２７内に挿入されて固定されており、台座部２４の側面２８から外部に突出した状態となっている。
【００２３】
台座部２４の上面３０には、ゴムバンド２５の先端部３１を係止するための係止片３２が形成されている。この係止片３２は、台座部２４と一体的に形成されており、その先端部に所定外径寸法の円盤状部材３３が形成されている。この円盤状部材３３の外径寸法は、ゴムバンド２５に設けられた係止孔３４の内径寸法よりも大きくなるように設定されている。
【００２４】
ゴムバンド２５は、図に示すような薄肉の帯状に形成されており、たとえばニトリルゴムにより構成することができる。もっとも、ゴムバンド２５は、ニトリルゴムに限定されるものではなく、これに相当する弾性を有するものであれば他の材料により構成することができる。ゴムバンド２５には、上記係止孔３４が設けられているから、上記台座部２４から突出したゴムバンド２５が巻回され、係止孔４３が上記円盤状部材３３と係合されることにより、ゴムバンド２５は、当該巻回状態が維持される。このとき、円盤状部材３３の外径寸法が上記係止孔３４の内径寸法よりも大きくなるように設定されているから、ゴムバンド２５は、容易に係止辺３２から外れることはない。
【００２５】
図１が示すように、栓部材１６は、上記筒状部１３の底部１８に取り付けられている。本実施形態では、栓部材１６は、連結帯３５により筒状部１３に連結されている。ただし、この連結帯３５は、省略されてもよい。栓部材１６は、円柱状に形成された栓本体３６と、この先端部に設けられた緩衝部材３７とを有している。栓本体３６は、ゴムや樹脂等により構成され、小径部３８及び大径部３９を有する。すなわち、この大径部３９は、小径部３８に設けられたフランジとして機能する。小径部３８の外径寸法は、筒状部１３に設けられた連通孔１９の内径寸法に対応されており、連通孔１９に圧入されるようになっている。小径部３８が連通孔１９に挿入されたときは、大径部３９が上記底部１８の端面に当接し、これにより栓部材１６は、安定して筒状部１３に装着される。
【００２６】
また、緩衝部材３７は、例えばウレタンゴム、ニトリルゴム、エチレン・酢酸ビニル樹脂（ＥＶＡ）等により構成され得る。緩衝部材３７は、円柱状に形成されており、上記小径部３８に連続している。この緩衝部材３７が設けられることにより、トップカバー１０が釣竿１１に装着された状態で、仮に何らかの原因で各節が伸長されたとしても、各節は緩衝部材３７に当接するのでこれらに傷等がつくのを防止することができる。なお、この緩衝部材３７は、省略されてもよい。
【００２７】
図３は、トップカバー１０が装着された状態の釣竿１１の要部拡大正面図である。また、図４は、釣竿１１に装着されたトップカバー１０の一部断面正面図であって、栓部材１６が取りはずされた状態が図示されている。
【００２８】
図３が示すように、釣竿１１が収納状態とされたときに、トップカバー１０が釣竿１１の先端部１２に装着される。具体的には、本体１４の筒状部１３が上記先端部１２に被せられ、その状態で、連結部１５によって本体１４が上記先端部１２に連結される。すなわち、上記先端部１２は、本体１４の筒状部１３によって囲繞される。本実施形態では、連結部１５に備えられたゴムバンド２５が上記先端部１２に巻き付けられることによって、本体１４が上記先端部１２に確実に固定される。これにより、釣竿１１から各節が飛び出すことが防止され、釣竿１１の搬送中においても各節が損傷することはなく、確実に保護される。なお、上記筒状部１３に設けられた栓部材１６には、緩衝部材３７が取り付けられているから、仮に筒状部１３内で各節が飛び出したとしても、緩衝部材３７によって支持されるから、各節の損傷は一層確実に防止される。
【００２９】
また、図４が示すように、筒状部１３に設けられた栓部材１６が取り外されると、連通１９が露出する。したがって、この連通孔１９からの注水が可能となる。注水は、水道から導かれたホース４０等を介して行われる。連通孔１９から注水されると、釣竿１１の先端部１２が上記筒状部１３によって囲繞されていることから、水は効率的に釣竿１１の内部に流入し、各節の内部及び外部が洗浄される。このように、釣竿１１の先端部１２にトップカバー１０が取り付けられたままで当該トップカバー１０の内部への注入が可能であるから、釣人は、トップカバー１０を取り外すことなく釣竿１１の内部を洗浄することができる。しかも、水は、一旦トップカバー１０の内部に注がれるから、効率よく釣竿１１の内部に流入し、その結果、少量の水で確実に釣竿１１の洗浄が行われる。
【００３０】
特に、本実施形態では、上記筒状部１３の内側にパッキング２０が設けられているから、釣竿１１の先端部１２に筒状部１３が被せられると、当該先端部１２がパッキング２０を貫通し、その結果、釣竿１１の先端部１２は、筒状部１３によって略液密的に囲繞される。したがって、上記連通孔１９から注水されると、水はより効率的に釣竿１１の内部に流入し、一層確実に釣竿１１の内部の洗浄が可能となる。
【００３１】
さらに、本実施形態では、上記筒状部１３が円筒状に形成され、しかも上記パッキング２０が円盤状に形成されていることから、釣人は、従来のトップカバーを釣竿に装着する要領で、当該トップカバー１０を簡単に釣竿１１に装着することができるという利点がある。加えて、筒状部１３の底部１８に水が注入される連通孔１９が設けられているから、注水される部分が釣竿１の先端面と対向する。これにより、注入された水は、略全部が釣竿１１の内部に導入され、より一層確実な釣竿１１の洗浄が可能となる。
【００３２】
なお、本実施形態では、トップカバー１０が装着される釣竿１１は、インナーガイドタイプの振出式のものが例示されているが、トップカバー１０は、例えば渓流用振出式釣竿等の通常の振出式のべ竿等にも装着され得る。
【産業上の利用可能性】
【００３３】
本発明は、振出式に組み立てられた釣竿に装着されるトップカバーに適用される。
【図面の簡単な説明】
【００３４】
【図１】図１は、本発明の一実施形態に係るトップカバーの斜視図である。
【図２】図２は、本発明の一実施形態に係るトップカバーの要部拡大斜視図である。
【図３】図３は、本発明の一実施形態に係るトップカバーが装着された状態の釣竿の要部拡大正面図である。
【図４】図４は、本発明の一実施形態に係るトップカバーの一部断面正面図である。
【図５】図５は、従来の一般的な釣竿の正面図である。
【符号の説明】
【００３５】
１０・・・トップカバー
１１・・・釣竿
１２・・・先端部
１３・・・筒状部
１４・・・本体
１５・・・連結部
１６・・・栓部材
１７・・・固定部
１８・・・底部
１９・・・連通孔
２０・・・パッキング
２１・・・貫通孔  
２２・・・当接板  
２３・・・底部材
２５・・・ゴムバンド
３５・・・連結帯
３６・・・栓本体
３７・・・緩衝部材
３８・・・小径部  
３９・・・大径部
【図１】
2005168393.tif 000003
【図２】
2005168393.tif 000004
【図３】
2005168393.tif 000005
【図４】
2005168393.tif 000006
【図５】
2005168393.tif 000007